(57)【要約】【課題】圃場内において、走行及び作業に関する様々な条件に応じた走行予定ルートの作成を行うことができるようにする。【解決手段】走行支援装置は、マップ記憶部に記憶された圃場マップを呼び出して取得するマップ取得部と、マップ取得部が取得した圃場マップを表示するマップ表示部と、マップ表示部に表示された圃場マップ上の所定の圃場に、走行車両の走行及び作業装置の作業が行えない第１エリアを設定する第１エリア設定部と、マップ表示部に表示された圃場マップ上の所定の圃場に、走行車両の走行が可能で作業装置の作業が行えない第２エリアを設定する第２エリア設定部と、マップ表示部に表示された圃場マップ上の所定の圃場に、走行車両の走行及び作業装置の作業が可能な第３エリアを設定する第３エリア設定部と、少なくとも第３エリアに走行車両の走行予定ルートを作成するルート作成部と、を備えている。【選択図】図１
2020106977.tif 000002
【特許請求の範囲】
【請求項１】
作業装置が連結される走行車両の走行予定ルートを作成する走行支援装置であって、
所定の圃場の輪郭を登録するマップ登録部と、
前記マップ登録部によって登録された前記所定の圃場に輪郭を示す圃場マップを記憶するマップ記憶部と、
前記マップ記憶部に記憶された前記圃場マップを呼び出して取得するマップ取得部と、
前記マップ取得部が取得した前記圃場マップを表示するマップ表示部と、
前記マップ表示部に表示された圃場マップ上の所定の圃場に、前記走行車両の走行及び前記作業装置の作業が行えない第１エリアを設定する第１エリア設定部と、
前記マップ表示部に表示された圃場マップ上の所定の圃場に、前記走行車両の走行が可能で前記作業装置の作業が行えない第２エリアを設定する第２エリア設定部と、
前記マップ表示部に表示された圃場マップ上の所定の圃場に、前記走行車両の走行及び前記作業装置の作業が可能な第３エリアを設定する第３エリア設定部と、
少なくとも前記第３エリアに前記走行車両の走行予定ルートを作成するルート作成部と、
を備えている走行支援装置。
【請求項２】
前記第２エリア設定部は、前記所定の圃場において前記第１エリアを除く部分に前記第２エリアを設定する請求項１に記載の走行支援装置。
【請求項３】
前記第１エリア設定部は、前記所定の圃場において前記第２エリアを除く部分に前記第１エリアを設定する請求項１又は２に記載の走行支援装置。
【請求項４】
前記第３エリア設定部は、前記所定の圃場において前記第１エリア及び前記第２エリアを除く部分に前記第３エリアを設定する請求項１〜３のいずれかに記載の走行支援装置。
【請求項５】
前記ルート作成部は、前記第２エリア及び第３エリアに、前記走行車両の走行予定ルートを作成する請求項１〜４のいずれかに記載の走行支援装置。
【請求項６】
前記ルート作成部は、前記走行予定ルートとして前記走行車両が直進する直進ルートを作成する直進作成部と、前記走行車両が旋回する旋回ルートを作成する旋回作成部と、を有し、
前記直進作成部は、前記第３エリアに前記直進ルートを作成し、
前記旋回作成部は、前記第２エリア及び前記第３エリアのいずれかに前記旋回ルートを作成する請求項１〜５のいずいれかに記載の走行支援装置。
【請求項７】
前記所定の圃場の輪郭と、操作に応じて前記所定の圃場を移動可能なポインタとを表示可能な表示部を備え、
前記第１エリア設定部は、前記圃場マップ上の所定の圃場に前記ポインタによって設定された位置と前記輪郭とを結ぶ複数の第１領域線を生成し、前記複数の第１領域線と前記輪郭とに囲まれた部分を前記第１エリアとして設定する請求項１〜６のいずれかに記載の走行支援装置。
【請求項８】
前記所定の圃場の輪郭と、操作に応じて前記所定の圃場を移動可能なポインタとを表示可能な表示部を備え、
前記第２エリア設定部は、前記圃場マップ上の所定の圃場に前記ポインタによって設定された位置と前記輪郭とを結ぶ複数の第２領域線を生成し、前記複数の第２領域線と前記輪郭とに囲まれた部分を前記第２エリアとして設定する請求項１〜７のいずれかに記載の走行支援装置。
【請求項９】
請求項１〜８のいずれかに記載の走行支援装置と、
走行車両と、
前記走行車両に設けられた運転席と、
を備え、
前記走行支援装置は、前記運転席の近傍に設けられ且つ前記走行予定ルートを表示可能である作業車両。
【請求項１０】
作業装置が連結される走行車両の走行予定ルートを作成する走行支援方法であって、
所定の圃場の輪郭を登録するステップと、
前記登録された前記所定の圃場の輪郭を示す圃場マップを記憶するステップと、
前記圃場マップを呼び出すステップと、
前記呼び出された前記圃場マップを表示するステップと、
前記圃場マップ上の所定の圃場に、前記走行車両の走行及び前記作業装置の作業が行えない第１エリアを設定するステップと、
前記圃場マップ上の所定の圃場に、前記走行車両の走行が可能で前記作業装置の作業が行えない第２エリアを設定するステップと、
前記圃場マップ上の所定の圃場に、前記走行車両の走行及び前記作業装置の作業が可能な第３エリアを設定するステップと、
少なくとも前記第３エリアに前記走行車両の走行予定ルートを作成するステップと、
を備えている走行支援方法。
【発明の詳細な説明】
【技術分野】
【０００１】
本発明は、例えば、トラクタ等の作業車両を走行させる場合の走行支援装置、走行支援装置を備えた作業車両及び走行支援方法に関する。
【背景技術】
【０００２】
従来、トラクタ等の作業車両を自動走行させるための走行経路（走行予定ルート）を作成する技術として特許文献１に示す技術が知られている。特許文献１では、走行経路生成部が、直進経路と各直進経路同士をつなぐＵターン経路とからなる内側走行経路と、圃場の外周領域を周回走行するための周回走行経路とを生成する。
【先行技術文献】
【特許文献】
【０００３】
【特許文献１】特開２０１８−１１６６０６号公報
【発明の概要】
【発明が解決しようとする課題】
【０００４】
特許文献１では、圃場において、周回走行経路の内側に走行経路（走行予定ルート）を作成することができる。しかしながら、圃場内において、走行及び作業の両方できない場合、走行ができても作業ができない場合等、様々な条件に対応する走行予定ルートを作成することができないのが実情である。
そこで、本発明は上記問題点に鑑み、圃場内において、走行及び作業に関する様々な条件に応じた走行予定ルートの作成を行うことができる走行支援装置、走行支援装置を備えた作業車両及び走行支援方法を提供することを目的とする。
【課題を解決するための手段】
【０００５】
この技術的課題を解決するための本発明の技術的手段は、以下に示す点を特徴とする。
走行支援装置は、作業装置が連結される走行車両の走行予定ルートを作成する走行支援装置であって、所定の圃場の輪郭を登録するマップ登録部と、前記マップ登録部によって登録された前記所定の圃場に輪郭を示す圃場マップを記憶するマップ記憶部と、前記マップ記憶部に記憶された前記圃場マップを呼び出して取得するマップ取得部と、前記マップ取得部が取得した前記圃場マップを表示するマップ表示部と、前記マップ表示部に表示された圃場マップ上の所定の圃場に、前記走行車両の走行及び前記作業装置の作業が行えない第１エリアを設定する第１エリア設定部と、前記マップ表示部に表示された圃場マップ上の所定の圃場に、前記走行車両の走行が可能で前記作業装置の作業が行えない第２エリアを設定する第２エリア設定部と、前記マップ表示部に表示された圃場マップ上の所定の圃場に、前記走行車両の走行及び前記作業装置の作業が可能な第３エリアを設定する第３エリア設定部と、少なくとも前記第３エリアに前記走行車両の走行予定ルートを作成するルート作成部と、を備えている。
【０００６】
前記第２エリア設定部は、前記所定の圃場において前記第１エリアを除く部分に前記第２エリアを設定する。
前記第１エリア設定部は、前記所定の圃場において前記第２エリアを除く部分に前記第１エリアを設定する。
前記第３エリア設定部は、前記所定の圃場において前記第１エリア及び前記第２エリアを除く部分に前記第３エリアを設定する。
【０００７】
前記ルート作成部は、前記第２エリア及び第３エリアに、前記走行車両の走行予定ルートを作成する。
前記ルート作成部は、前記走行予定ルートとして前記走行車両が直進する直進ルートを作成する直進作成部と、前記走行車両が旋回する旋回ルートを作成する旋回作成部と、を有し、前記直進作成部は、前記第３エリアに前記直進ルートを作成し、前記旋回作成部は、前記第２エリア及び前記第３エリアのいずれかに前記旋回ルートを作成する。
【０００８】
走行支援装置は、前記所定の圃場の輪郭と、操作に応じて前記所定の圃場を移動可能なポインタとを表示可能な表示部を備え、前記第１エリア設定部は、前記圃場マップ上の所
定の圃場に前記ポインタによって設定された位置と前記輪郭とを結ぶ複数の第１領域線を生成し、前記複数の第１領域線と前記輪郭とに囲まれた部分を前記第１エリアとして設定する。
【０００９】
走行支援装置は、前記所定の圃場の輪郭と、操作に応じて前記所定の圃場を移動可能なポインタとを表示可能な表示部を備え、前記第２エリア設定部は、前記圃場マップ上の所定の圃場に前記ポインタによって設定された位置と前記輪郭とを結ぶ複数の第２領域線を生成し、前記複数の第２領域線と前記輪郭とに囲まれた部分を前記第２エリアとして設定する。
【００１０】
作業車両は、走行支援装置と、走行車両と、前記走行車両に設けられた運転席と、を備え、前記走行支援装置は、前記運転席の近傍に設けられ且つ前記走行予定ルートを表示可能である。
走行支援方法は、作業装置が連結される走行車両の走行予定ルートを作成する走行支援方法であって、所定の圃場の輪郭を登録するステップと、前記登録された前記所定の圃場の輪郭を示す圃場マップを記憶するステップと、前記圃場マップを呼び出すステップと、前記呼び出された前記圃場マップを表示するステップと、前記圃場マップ上の所定の圃場に、前記走行車両の走行及び前記作業装置の作業が行えない第１エリアを設定するステップと、前記圃場マップ上の所定の圃場に、前記走行車両の走行が可能で前記作業装置の作業が行えない第２エリアを設定するステップと、前記圃場マップ上の所定の圃場に、前記走行車両の走行及び前記作業装置の作業が可能な第３エリアを設定するステップと、少なくとも前記第３エリアに前記走行車両の走行予定ルートを作成するステップと、を備えている。
【発明の効果】
【００１１】
本発明によれば、圃場内において、走行及び作業に関する様々な条件に応じた走行予定ルートの作成を行うことができる。
【図面の簡単な説明】
【００１２】
【図１】走行支援装置を備えた作業車両のブロック図を示す図である。
【図２】昇降装置を示す図である。
【図３】自動走行を説明する図である。
【図４】マップ登録画面Ｍ１の一例を示す図である。
【図５Ａ】走行軌跡Ｋ１から圃場の輪郭Ｈ１（圃場マップＭＰ２）を求める図である。
【図５Ｂ】走行軌跡Ｋ１の変曲点から圃場の輪郭Ｈ１（圃場マップＭＰ２）を求める図である。
【図５Ｃ】走行時のスイッチ操作から輪郭Ｈ１（圃場マップＭＰ２）を求める図である。
【図６】マップ選択画面Ｍ１０の一例を示す図である。
【図７】エリア設定画面Ｍ２１の一例を示す図である。
【図８Ａ】第１エリアＡ２１の設定の一例を示す図である。
【図８Ｂ】第２エリアＡ２２の設定の一例を示す図である。
【図８Ｃ】第３エリアＡ２３の設定の一例を示す図である。
【図９Ａ】第１領域線Ｊ１ｎを用いて第１エリアＡ２１を設定する図である。
【図９Ｂ】第２領域線Ｊ２ｎを用いて第２エリアＡ２２を設定する図である。
【図１０】第３エリアＡ２３などに走行予定ルートＬ１を設定する一例を示す図である。
【図１１】走行支援方法を示す図である。
【図１２Ａ】障害物設定画面Ｍ２５の一例を示す図である。
【図１２Ｂ】自動走行時等の走行時におけるトラクタと障害物の関係を示す図である。
【図１３】トラクタの側面全体図である。
【発明を実施するための形態】
【００１３】
以下、本発明の実施の形態を図面に基づいて説明する。
図１は、走行支援装置１００を備えた作業車両のブロック図を示している。走行支援装置１００は、トラクタ等の作業車両の走行を行う場合の支援を行う装置である。この実施形態では、走行支援装置１００は、トラクタ１に設けられているが、トラクタ１以外に設けた装置、例えば、タブレット、スマートフォン、ＰＤＡ等の携帯型の端末（携帯端末）、パーソナルコンピュータ、サーバ等の固定型のコンピュータ等の固定型の端末（固定端末）であってもよい。
【００１４】
まず、作業車両の１つであるトラクタをについて説明する。
図１３に示すように、トラクタ１は、走行装置７を有する走行車両３と、原動機４と、変速装置５とを備えている。走行装置７は、前輪７Ｆ及び後輪７Ｒを有する装置である。前輪７Ｆは、タイヤ型であってもクローラ型であってもよい。また、後輪７Ｒも、タイヤ型であってもクローラ型であってもよい。原動機４は、ディーゼルエンジン、電動モータ等である。変速装置５は、変速によって走行装置７の推進力を切換可能であると共に、走行装置７の前進、後進の切換が可能である。走行車両３にはキャビン９が設けられ、当該キャビン９内には運転席１０が設けられている。
【００１５】
また、走行車両３の後部には、３点リンク機構等で構成された昇降装置８が設けられている。昇降装置８には、作業装置２が着脱可能である。作業装置２を昇降装置８に連結することによって、走行車両３によって作業装置２を牽引することができる。作業装置２は、耕耘する耕耘装置、肥料を散布する肥料散布装置、農薬を散布する農薬散布装置、収穫を行う収穫装置、牧草等の刈取を行う刈取装置、牧草等の拡散を行う拡散装置、牧草等の集草を行う集草装置、牧草等の成形を行う成形装置等である。なお、図１３では、作業装置２として散布装置を取り付けた例を示している。
【００１６】
図１に示すように、トラクタ１は、操舵装置１１を備えている。操舵装置１１は、ハンドル（ステアリングホイール）１１ａと、ハンドル１１ａの回転に伴って回転する回転軸（操舵軸）１１ｂと、ハンドル１１ａの操舵を補助する補助機構（パワーステアリング機構）１１ｃと、を有している。補助機構１１ｃは、油圧ポンプ２１と、油圧ポンプ２１から吐出した作動油が供給される制御弁２２と、制御弁２２により作動するステアリングシリンダ２３とを含んでいる。制御弁２２は、制御信号に基づいて作動する電磁弁である。制御弁２２は、例えば、スプール等の移動によって切り換え可能な３位置切換弁である。また、制御弁２２は、操舵軸１１ｂの操舵によっても切換可能である。ステアリングシリンダ２３は、前輪７Ｆの向きを変えるアーム（ナックルアーム）２４に接続されている。
【００１７】
したがって、ハンドル１１ａを操作すれば、当該ハンドル１１ａに応じて制御弁２２の切換位置及び開度が切り換わり、当該制御弁２２の切換位置及び開度に応じてステアリングシリンダ２３が左又は右に伸縮することによって、前輪７Ｆの操舵方向を変更することができる。なお、上述した操舵装置１１は一例であり、上述した構成に限定されない。
図２に示すように、昇降装置８は、リフトアーム８ａ、ロアリンク８ｂ、トップリンク８ｃ、リフトロッド８ｄ、リフトシリンダ８ｅを有している。リフトアーム８ａの前端部は、変速装置５を収容するケース（ミッションケース）の後上部に上方又は下方に揺動可能に支持されている。リフトアーム８ａは、リフトシリンダ８ｅの駆動によって揺動（昇降）する。リフトシリンダ８ｅは、油圧シリンダから構成されている。リフトシリンダ８ｅは、制御弁を介して油圧ポンプと接続されている。制御弁は、電磁弁等であって、リフトシリンダ８ｅを伸縮させる。
【００１８】
ロアリンク８ｂの前端部は、変速装置５の後下部に上方又は下方に揺動可能に支持されている。トップリンク８ｃの前端部は、ロアリンク８ｂよりも上方において、変速装置５の後部に上方又は下方に揺動可能に支持されている。リフトロッド８ｄは、リフトアーム８ａとロアリンク８ｂとを連結している。ロアリンク８ｂの後部及びトップリンク８ｃの後部には、作業装置２が連結される。リフトシリンダ８ｅが駆動（伸縮）すると、リフトアーム８ａが昇降するとともに、リフトロッド８ｄを介してリフトアーム８ａと連結されたロアリンク８ｂが昇降する。これにより、作業装置２がロアリンク８ｂの前部を支点として、上方又は下方に揺動（昇降）する。
【００１９】
トラクタ１は、測位装置４０を備えている。測位装置４０は、Ｄ−ＧＰＳ、ＧＰＳ、ＧＬＯＮＡＳＳ、北斗、ガリレオ、みちびき等の衛星測位システム（測位衛星）により、自己の位置（緯度、経度を含む測位情報）を検出可能である。即ち、測位装置４０は、測位衛星から送信された衛星信号（測位衛星の位置、送信時刻、補正情報等）を受信し、衛星信号に基づいて、トラクタ１の位置（例えば、緯度、経度）、即ち、車体位置を検出する。測位装置４０は、受信装置４１と、慣性計測装置（ＩＭＵ：Inertial Measurement Unit）４２とを有している。受信装置４１は、アンテナ等を有していて測位衛星から送信された衛星信号を受信する装置であり、慣性計測装置４２とは別に走行車両３に取付けられている。この実施形態では、受信装置４１は、走行車両３、即ち、キャビン９に取付けられている。なお、受信装置４１の取付箇所は、実施形態に限定されない。
【００２０】
慣性計測装置４２は、加速度を検出する加速度センサ、角速度を検出するジャイロセンサ等を有している。走行車両３、例えば、運転席１０の下方に設けられ、慣性計測装置４２によって、走行車両３のロール角、ピッチ角、ヨー角等を検出することができる。
図１に示すように、トラクタ１は、制御装置６０を備えている。制御装置６０は、トラクタ１における走行系の制御、作業系の制御等を行う装置である。
【００２１】
制御装置６０は、トラクタ１の自動走行を制御する自動走行制御部６１を有している。自動走行制御部６１は、制御装置６０に設けられた電気・電子回路、ＣＰＵ等に格納されたプログラム等から構成されている。自動走行制御部６１は、自動走行を開始すると、走行車両３が走行予定ルートＬ１に沿って走行するように操舵装置１１の制御弁２２を制御する。また、自動走行制御部６１は、自動走行を開始すると、変速装置の変速段、原動機の回転数等を自動的に変更することによって、トラクタ１の車速（速度）を制御する。
【００２２】
図３に示すように、トラクタ１が自動走行を行っている状況下において、車体位置と走行予定ルートＬ１との偏差が閾値未満である場合、自動走行制御部６１は、操舵軸（回転軸）１１ｂの回転角を維持する。車体位置と走行予定ルートＬ１との偏差が閾値以上であって、トラクタ１が走行予定ルートＬ１に対して左側に位置している場合は、自動走行制御部６１は、トラクタ１の操舵方向が右方向となるように操舵軸１１ｂを回転する。車体位置と走行予定ルートＬ１との偏差が閾値以上であって、トラクタ１が走行予定ルートＬ１に対して右側に位置している場合は、自動走行制御部６１は、トラクタ１の操舵方向が左方向となるように操舵軸１１ｂを回転する。なお、上述した実施形態では、車体位置と走行予定ルートＬ１との偏差に基づいて操舵装置１１の操舵角を変更していたが、走行予定ルートＬ１の方位とトラクタ１（走行車両３）の進行方向（走行方向）の方位（車体方位）Ｆ１とが異なる場合、即ち、走行予定ルートＬ１に対する車体方位Ｆ１の角度θｇが閾値以上である場合、自動走行制御部６１は、角度θｇが零（車体方位Ｆ１が走行予定ルートＬ１の方位に一致）するように操舵角を設定してもよい。また、自動走行制御部６１は、偏差（位置偏差）に基づいて求めた操舵角と、方位（方位偏差）に基づいて求めた操舵角とに基づいて、自動操舵における最終の操舵角を設定してもよい。上述した実施形態における自動操舵における操舵角の設定は一例であり、限定されない。
【００２３】
以上のように、制御装置６０によって、トラクタ１（走行車両３）を自動走行させることができる。
また、制御装置６０は、手動昇降制御、自動上昇制御等を行うことができる。手動昇降制御では、制御装置６０に接続された昇降スイッチ７２の操作に基づいて昇降装置８による作業装置２の昇降する制御である。具体的には、昇降スイッチ７２は、運転席１０の周囲に設けられていて、３位置切換スイッチである。昇降スイッチ７２を中立位置から一方に切り換えると、昇降装置８（リフトアーム８ａ）を上昇させる上昇信号が制御装置６０に入力される。また、昇降スイッチ７２を中立位置から他方に切り換えると、昇降装置８（リフトアーム８ａ）を下降させる下降信号が制御装置６０に入力される。制御装置６０は、上昇信号を取得すると制御弁に制御信号を出力することで昇降装置８を上昇させ、下降信号を取得すると制御弁に制御信号を出力することで昇降装置８を下降させる。つまり、制御装置６０は、昇降スイッチ７２の手動操作に応じて昇降装置８を昇降させる手動昇降制御をすることができる。
【００２４】
また、自動上昇制御では、操舵装置１１の操舵角が所定以上、例えば、旋回に対応する操舵角である場合に、自動的に昇降装置８を作動させることで作業装置２を上昇する制御である。具体的には、制御装置６０には、操舵角検出装置７０と、切換スイッチ７１とが接続されている。操舵角検出装置７０は、操舵装置１１の操舵角を検出する装置である。切換スイッチ７１は、自動上昇制御の有効／無効を切り換えるスイッチであって、ＯＮ／ＯＦＦに切り換え可能なスイッチである。切換スイッチ７１がＯＮである場合、自動上昇制御が有効に設定され、切換スイッチ７１がＯＦＦである場合、自動上昇制御が無効に設定される。
【００２５】
制御装置６０は、自動上昇制御が有効であり且つ操舵角検出装置７０が検出した操舵角が旋回に相当する操舵角以上である場合、制御弁に制御信号を出力することで昇降装置８を自動的に上昇させる自動上昇制御を行う。
以上のように、制御装置６０によって、トラクタ１に関する制御、例えば、手動昇降制御、自動上昇制御を行うことができる。
【００２６】
走行支援装置１００は、運転席１０の近傍に設けられた表示装置である。以下、走行支援装置１００が表示装置であるとして説明を進める。
表示装置は、液晶パネル、タッチパネル、その他のパネルのいずれかで構成された表示部５０を有する表示装置であり、トラクタ１の走行を、支援をするための情報の他に、トラクタ１、作業装置２に関する様々な情報を表示可能である。
【００２７】
表示装置は、マップ登録部１０１と、マップ記憶部１０２とを備えている。マップ登録部１０１は、表示装置に設けられた電気・電子部品、表示装置に組み込まれたプログラム等から構成されている。マップ記憶部１０２は、不揮発性のメモリ等から構成されている。マップ登録部１０１は、所定の圃場の輪郭、例えば、所定の圃場の輪郭に対応した位置を登録する。
【００２８】
図４に示すように、作業者（運転者）が表示装置に対して所定の操作を行うと、マップ登録部１０１は、表示装置の表示部５０にマップ登録画面Ｍ１を表示する。マップ登録画面Ｍ１には、圃場を含むマップＭＰ１、トラクタ１の車体位置ＶＰ１、圃場名及び圃場管理番号等の圃場識別情報が表示される。マップＭＰ１には、圃場を示す画像データの他に緯度、経度等の位置情報が対応付けられている。トラクタ１が圃場内に入り、圃場内を周回すると、マップ登録画面Ｍ１には、トラクタ１が周回したときに測位装置４０が検出した現在の車体位置ＶＰ１が表示される。トラクタ１による圃場内の周回が終了し、マップ登録画面Ｍ１に表示された登録ボタン５１が選択されると、図５Ａに示すように、マップ登録部１０１は、トラクタ１が周回したときの複数の車体位置によって得られた走行軌跡Ｋ１を圃場の輪郭（外形）Ｈ１とし、当該輪郭Ｈ１で表される圃場マップＭＰ２を圃場識別情報と共に登録する。
【００２９】
なお、図５Ｂに示すように、マップ登録部１０１は、車体位置ＶＰ１で示される走行軌跡から変曲点を演算して変曲点を結ぶ輪郭Ｋ２を圃場の輪郭Ｈ１（圃場マップＭＰ２）として登録してもよいし、図５Ｃに示すように、トラクタ１が周回する際に運転者等がトラクタ１に設けられたスイッチ等によって圃場の端部を指定し指定された端部を結んだ輪郭Ｋ３を輪郭Ｈ１（圃場マップＭＰ２）として登録してもよい。上述した圃場の登録方法は、一例であり、限定されない。圃場の輪郭、即ち、圃場マップＭＰ２は、位置（緯度、経度）で示されたデータであっても、座標（Ｘ軸、Ｙ軸）系で示されたデータであっても、その他の表現で示されたデータであってもよい。
【００３０】
マップ記憶部１０２は、マップ登録部１０１によって登録した輪郭（外形）を示す圃場マップＭＰ２を記憶する。即ち、マップ記憶部１０２は、圃場マップＭＰ２、圃場の輪郭を示すデータ（所定の圃場を表すためのデータ）を記憶する。
上述したように、表示装置（走行支援装置１００）は、マップ登録部１０１によって複数の圃場マップＭＰ２を登録することができる。作業等を行うにあたっては、複数の圃場マップＭＰ２のうち、所定の圃場を示す圃場マップＭＰ２を取得する。具体的には、表示装置は、マップ取得部１２０を備えている。マップ取得部１２０は、表示装置に設けられた電気・電子部品、表示装置に組み込まれたプログラム等から構成されている。
【００３１】
作業者（運転者）が表示装置に対して所定の操作を行うと、図６に示すように、マップ取得部１２０は、表示装置の表示部５０にマップ選択画面Ｍ１０を表示する。マップ選択画面Ｍ１０には、マップ記憶部１０２に記憶された圃場、即ち、圃場の圃場識別情報の一覧表が表示される。作業者（運転者）が表示装置に対して所定の操作を行うと、マップ選択画面Ｍ１０に表示された複数の圃場識別情報の中から、例えば、１つの圃場識別情報を選択することができる。圃場識別情報が選択されると、マップ取得部１２０は、マップ記憶部１０２を参照し、選択された圃場識別情報に対応する圃場マップＭＰ２、即ち、所定の圃場マップＭＰ２を取得する。
【００３２】
さて、マップ取得部１２０が取得した圃場マップＭＰ２、即ち、所定の圃場に対して、走行及び作業に関する設定を行うことが可能である。
表示装置（走行支援装置１００）は、第１エリア設定部１４１と、第２エリア設定部１４２と、第３エリア設定部１４３とを備えている。第１エリア設定部１４１、第２エリア設定部１４２及び第３エリア設定部１４３は、表示装置に設けられた電気・電子部品、表示装置に組み込まれたプログラム等から構成されている。
【００３３】
第１エリア設定部１４１は、圃場マップＭＰ２（所定の圃場）に、走行車両３の走行及び作業装置２の作業が行えない第１エリアＡ２１を設定する。即ち、第１エリア設定部１４１は、圃場マップＭＰ２（所定の圃場）において、走行及び作業を禁止する第１エリアＡ２１を設定する。
第２エリア設定部１４２は、圃場マップＭＰ２（所定の圃場）に、走行車両３の走行は可能で、作業装置２の作業が行えない第２エリアＡ２２を設定する。即ち、第２エリア設定部１４２は、圃場マップＭＰ２（所定の圃場）において、走行は許可する一方、作業を禁止する第２エリアＡ２２を設定する。
【００３４】
第３エリア設定部１４３は、圃場マップＭＰ２（所定の圃場）に、走行車両３の走行及び作業装置２の作業が可能な第３エリアＡ２３を設定する。即ち、第３エリア設定部１４３は、圃場マップＭＰ２（所定の圃場）において、走行と作業との両方を許可する第３エリアＡ２３を設定する。
以下、第１エリアＡ２１、第２エリアＡ２２及び第３エリアＡ２３の設定について詳しく説明する。
【００３５】
作業者（運転者）が表示装置に対して所定の操作を行うと、図７に示すように、表示装置は、当該表示装置の表示部５０にエリア設定画面Ｍ２１を表示する。エリア設定画面Ｍ２１には、マップ取得部１２０が取得した圃場マップＭＰ２を表示する圃場表示部（マップ表示部）１３０が表示される。圃場表示部１３０には、例えば、ポインタ１６５が表示される。ポインタ１６５は、圃場表示部１３０、即ち、圃場マップＭＰ２を移動可能である。
【００３６】
圃場マップＭＰ２上にポインタ１６５が表示された状態で、エリア設定画面Ｍ２１に表示された第１設定ボタン１６１が選択されると、表示装置は、第１エリアＡ２１を設定するモードに移行する。図８Ａに示すように、圃場マップＭＰ１上にポインタ１６５が表示されている状態において、所定の操作が行われると、所定の操作が行われた時の圃場マップＭＰ１上のポインタ１６５の位置を、第１エリア設定部１４１は、選択された位置（選択位置）Ｑ１ｎ（ｎ：選択された数、Ｑ１：第１エリアの設定用であることを示す）として保持する。例えば、図８Ａに示すように、圃場マップＭＰ２に対して、４つの選択位置Ｑ１１、Ｑ１２、Ｑ１３、Ｑ１４が選択された場合、第１エリア設定部１４１は、４つの選択位置Ｑ１１、Ｑ１２、Ｑ１３、Ｑ１４を通る設定エリアＡ２５を作成する。言い換えれば、第１エリア設定部１４１は、４つの選択位置Ｑ１１、Ｑ１２、Ｑ１３、Ｑ１４で囲まれる設定エリアＡ２５を作成する。設定エリアＡ２５が作成された状態で、エリア設定画面Ｍ２１に表示された決定ボタン１６６が選択されると、第１エリア設定部１４１は、設定エリアＡ２５を第１エリアＡ２１に設定する。このように、圃場マップＭＰ２上の任意の位置を、ポインタ１６５によって選択することにより、簡単に第１エリアＡ２１を設定することができる。
【００３７】
また、エリア設定画面Ｍ２１に表示された第２設定ボタン１６２が選択されると、表示
装置は、第２エリアＡ２２を設定するモードに移行する。図８Ｂに示すように、圃場マップＭＰ１上にポインタ１６５が表示されている状態において、所定の操作が行われると、所定の操作が行われた時の圃場マップＭＰ１上のポインタ１６５の位置を、第２エリア設定部１４２は、選択された位置（選択位置）Ｑ２ｎ（ｎ：選択された数、Ｑ２：第２エリアの設定用であることを示す）として保持する。
【００３８】
なお、第２エリアＡ２２の設定時に、既に第１エリアＡ２１が設定されている状態で、選択位置Ｑ２ｎが第１エリアＡ２１内の位置を示す場合、第２エリア設定部１４２は、選択位置Ｑ２ｎを保持せず、エリア設定画面Ｍ２１に、選択位置Ｑ２ｎが選択できない旨のメッセージを表示する。また、第２エリアＡ２２の設定時に、既に第３エリアＡ２３が設定されている状態で、選択位置Ｑ２ｎが第３エリアＡ２３内の位置を示す場合も、第２エリア設定部１４２は、選択位置Ｑ２ｎを保持せず、エリア設定画面Ｍ２１に、選択位置Ｑ２ｎが選択できない旨のメッセージを表示する。
【００３９】
つまり、第２エリア設定部１４２は、圃場マップＭＰ２において、第１エリアＡ２１を除く部分を第２エリアＡ２２の設定の対象とする。また、圃場マップＭＰ２において、第３エリアＡ２３を除く部分を第２エリアＡ２２の設定の対象とする。
例えば、図８Ｂに示すように、圃場マップＭＰ２に対して、４つの選択位置Ｑ２１、Ｑ２２、Ｑ２３、Ｑ２４が選択された場合、第２エリア設定部１４２は、４つの選択位置Ｑ２１、Ｑ２２、Ｑ２３、Ｑ２４を通る設定エリアＡ２６を作成する。言い換えれば、第２エリア設定部１４２は、４つの選択位置Ｑ２１、Ｑ２２、Ｑ２３、Ｑ２４で囲まれる設定エリアＡ２６を作成する。設定エリアＡ２６が作成された状態で、エリア設定画面Ｍ２１に表示された決定ボタン１６６が選択されると、第２エリア設定部１４２は、設定エリアＡ２６を第２エリアＡ２２に設定する。このように、圃場マップＭＰ２上の任意の位置を、ポインタ１６５によって選択することにより、簡単に第２エリアＡ２２を設定することができる。
【００４０】
なお、第２エリアＡ２２の設定時に、既に第１エリアＡ２１及び第３エリアＡ２３の設定が完了している場合、第２エリア設定部１４２は、圃場マップＭＰ２において、第１エリアＡ２１及び第３エリアＡ２３を除くエリアを、第２エリアＡ２２に設定する。
また、エリア設定画面Ｍ２１に表示された第３設定ボタン１６３が選択されると、表示装置は、第３エリアＡ２３を設定するモードに移行する。図８Ｃに示すように、圃場マップＭＰ１上にポインタ１６５が表示されている状態において、所定の操作が行われると、所定の操作が行われた時の圃場マップＭＰ１上のポインタ１６５の位置を、第３エリア設定部１４３は、選択された位置（選択位置）Ｑ３ｎ（ｎ：選択された数、Ｑ３：第３エリアの設定用であることを示す）として保持する。なお、第３エリアＡ２３の設定時に、第１エリアＡ２１が設定されている状態で、選択位置Ｑ３ｎが第１エリアＡ２１内の位置を示す場合、第３エリア設定部１４３は、選択位置Ｑ３ｎを保持せず、エリア設定画面Ｍ２１に、選択位置Ｑ３ｎが選択できない旨のメッセージを表示する。即ち、第３エリア設定部１４３は、圃場マップＭＰ２の第１エリアＡ２１を除く部分を第３エリアＡ２３の設定の対象とする。また、第３エリアＡ２３の設定時に、既に第２エリアＡ２２が設定されている状態で、選択位置Ｑ３ｎが第２エリアＡ２２内の位置を示す場合も、第３エリア設定部１４３は、選択位置Ｑ３ｎを保持せず、エリア設定画面Ｍ２１に、選択位置Ｑ３ｎが選択できない旨のメッセージを表示する。
【００４１】
つまり、第３エリア設定部１４３は、圃場マップＭＰ２において、第１エリアＡ２１及び第２エリアＡ２２を除く部分を第３エリアＡ２３の設定の対象とする。
例えば、図８Ｃに示すように、圃場マップＭＰ２に対して、４つの選択位置Ｑ３１、Ｑ３２、Ｑ３３、Ｑ３４が選択された場合、第３エリア設定部１４３は、４つの選択位置Ｑ３１、Ｑ３２、Ｑ３３、Ｑ３４を通る設定エリアＡ２７を作成する。言い換えれば、第３エリア設定部１４３は、４つの選択位置Ｑ３１、Ｑ３２、Ｑ３３、Ｑ３４で囲まれる設定エリアＡ２７を作成する。設定エリアＡ２７が作成された状態で、エリア設定画面Ｍ２１に表示された決定ボタン１６６が選択されると、第３エリア設定部１４３は、設定エリアＡ２７を第３エリアＡ２３に設定する。このように、圃場マップＭＰ２上の任意の位置を
、ポインタ１６５によって選択することにより、簡単に第３エリアＡ２３を設定することができる。
【００４２】
なお、第３エリアＡ２３の設定時に、既に第１エリアＡ２１及び第２エリアＡ２２の設定が完了している場合、第３エリア設定部１４３は、圃場マップＭＰ２において、第１エリアＡ２１及び第２エリアＡ２２を除くエリアを、第３エリアＡ２３に設定する。
以上のように、第１エリアＡ２１、第２エリアＡ２２及び第３エリアＡ２３が設定された場合、第１エリアＡ２１、第２エリアＡ２２及び第３エリアＡ２３を含む圃場マップＭＰ２がルート設定用のマップとして一時的に表示装置に記憶される。
【００４３】
上述した実施形態では、第１エリアＡ２１、第２エリアＡ２２及び第３エリアＡ２３の全ての設定を行う例を説明したが、圃場マップＭＰ１（所定の圃場）に対して、第１エリアＡ２１と第３エリアＡ２３との２つにエリアを設定してもよいし、第２エリアＡ２２と第３エリアＡ２３との２つのエリアを設定してもよい。或いは、第１エリアＡ２１及び第２エリアＡ２２の設定が不要な場合は、第３エリアＡ２３のみを設定してもよい。
【００４４】
第１エリアＡ２１及び第３エリアＡ２３を設定した場合は、第１エリアＡ２１及び第３エリアＡ２３を含む圃場マップＭＰ２がルート設定用のマップとして一時的に表示装置に記憶される。また、第２エリアＡ２２及び第３エリアＡ２３を設定した場合は、第２エリアＡ２２及び第３エリアＡ２３を含む圃場マップＭＰ２がルート設定用のマップとして一時的に表示装置に記憶される。第３エリアＡ２３のみが設定した場合は、第３エリアＡ２３を含む圃場マップＭＰ２がルート設定用のマップとして一時的に表示装置に記憶される。
【００４５】
上述した実施形態では、複数の選択位置Ｑ１ｎによって囲まれる設定エリア２５を第１エリアＡ２１に設定していたが、これに代えて、圃場マップＭＰ２の輪郭Ｈ１（圃場の輪郭Ｈ１）と選択位置Ｑ１ｎとを用いて、第１エリアＡ２１を設定してもよい。
図９Ａに示すように、ポインタ１６５によって選択位置Ｑ１ｎが設定された場合、第１エリア設定部１４１は、選択位置Ｑ１ｎと圃場マップＭＰ２の輪郭Ｈ１とを結ぶ複数の第１領域線Ｊ１ｎ（ｎ：直線の数）を生成する。例えば、選択位置Ｑ１１が選択された場合、第１エリア設定部１４１は、選択位置Ｑ１１を通り且つ輪郭Ｈ１に直交する２つの第１領域線Ｊ１１、Ｊ１２を生成する。第１領域線Ｊ１１と第１領域線Ｊ１２とは直交する直線であって、第１エリア設定部１４１は、第１領域線Ｊ１１、第１領域線Ｊ１２及び輪郭Ｈ１に囲まれる設定エリア２５を作成する。設定エリアＡ２５が作成された状態で、エリア設定画面Ｍ２１に表示された決定ボタン１６６が選択されると、第１エリア設定部１４１は、設定エリアＡ２５を第１エリアＡ２１に設定する。
【００４６】
以上のように、第１エリアＡ２１の変形例によれば、圃場マップＭＰ２において、少なくとも最小の点数（１点）を設定することによって、簡単に第１エリアＡ２１を設定することができる。
上述した実施形態では、複数の選択位置Ｑ２ｎによって囲まれる設定エリア２６を第２エリアＡ２２に設定していたが、第１エリアＡ２１と同様に、圃場マップＭＰ２の輪郭Ｈ１（圃場の輪郭Ｈ１）と選択位置Ｑ２ｎとを用いて、第２エリアＡ２２を設定してもよい。
【００４７】
図９Ｂに示すように、ポインタ１６５によって選択位置Ｑ２ｎが設定された場合、第２エリア設定部１４２は、選択位置Ｑ２ｎと圃場マップＭＰ２の輪郭Ｈ１とを結ぶ複数の第２領域線Ｊ２ｎ（ｎ：直線の数）を生成する。例えば、選択位置Ｑ２１が選択された場合、第２エリア設定部１４２は、選択位置Ｑ２１を通り且つ輪郭Ｈ１に直交する２つの第２領域線Ｊ２１、Ｊ２２を生成する。第２領域線Ｊ２１と第２領域線Ｊ２２とは直交する直線であって、第２エリア設定部１４２は、第２領域線Ｊ２１、第２領域線Ｊ２２及び輪郭Ｈ１に囲まれる設定エリア２６を作成する。設定エリアＡ２６が作成された状態で、エリア設定画面Ｍ２１に表示された決定ボタン１６６が選択されると、第２エリア設定部１４２は、設定エリアＡ２６を第２エリアＡ２２に設定する。
【００４８】
以上のように、第２エリアＡ２２の変形例によれば、圃場マップＭＰ２において、少なくとも最小の点数（１点）を設定することによって、簡単に第２エリアＡ２２を設定する
ことができる。
さて、圃場マップＭＰ２において、少なくとも第３エリアＡ２３に走行車両３の走行予定ルートＬ１を作成することが可能である。
【００４９】
表示装置（走行支援装置１００）は、走行予定ルートＬ１を作成するルート作成部１０５を備えている。ルート作成部１０５は、表示装置に設けられた電気・電子部品、表示装置に組み込まれたプログラム等から構成されている。
図１０に示すように、ルート作成部１０５は、表示装置に一時的に保存されていたルート設定用のマップを読み出し、読み出された圃場マップＭＰ２の第３エリアＡ２３に走行車両３が旋回する旋回エリアＡ２４を設定する。例えば、第３エリアＡ２３において、当該第３エリアＡ２３の輪郭Ｈ１０と、当該輪郭Ｈ１０から所定距離Ｌ３３進んだ位置との間に、旋回エリアＡ２４を設定する。また、ルート作成部１０５は、読み出された圃場マップＭＰ２に第２エリアＡ２２が含まれる場合は、第２エリアＡ２２も旋回エリアＡ２４として設定する。なお、ルート作成部１０５は、旋回エリアＡ２４を設定するに際して、第３エリアＡ２３の両側、即ち、旋回エリアＡ２４が互いに対向するように、当該旋回エリアＡ２４を設定する。
【００５０】
ルート作成部１０５は、直進作成部１０５Ａと、旋回作成部１０５Ｂとを含んでいる。直進作成部１０５Ａは、第３エリアＡ２３において旋回エリアＡ２４を除く部分Ａ２３１に、走行車両３が直進する直進部（直進ルート）Ｌ１ａを作成する。旋回エリアＡ２４を除く部分Ａ２３１には、縦方向又は横方向に並んだ複数の直進部Ｌ１ａが作成される。
旋回作成部１０５Ｂは、第３エリアＡ２３の旋回エリアＡ２４に、走行車両３が旋回する旋回部（旋回ルート）Ｌ１ｂを作成する。図１０の矢印Ｇ１に示すように、例えば、旋回作成部１０５Ｂは、隣接する直進部Ｌ１ａの端部を結ぶことによって、第３エリアＡ２３の旋回エリアＡ２４に旋回部Ｌ１ｂを作成する。図１０の矢印Ｇ２に示すように、第３エリアＡ２３の旋回エリアＡ２４のみでは、隣接する直進部Ｌ１ａの端部同士を繋ぐことができない場合、旋回作成部１０５Ｂは、第３エリアＡ２３の旋回エリアＡ２４と、第２エリアＡ２２の旋回エリアＡ２４との両方に跨るように、旋回部Ｌ１ｂを作成する。即ち、旋回作成部１０５Ｂは、第２エリアＡ２２及び／又は第３エリアＡ２３に旋回部Ｌ１ｂを作成する。以上のように、走行予定ルートＬ１（直進部Ｌ１ａ、旋回部Ｌ１ｂ）が設定された場合、設定された走行予定ルートＬ１は、表示装置に記憶される。また、走行予定ルートＬ１は、圃場マップＭＰ２と共に表示装置の表示部５０に表示される。
【００５１】
なお、所定の圃場（圃場マップＭＰ２）において、当該所定の圃場内における障害物を設定できるようにしてもよい。表示装置（走行支援装置１００）は、障害物設定部１４５を備えている。障害物設定部１４５は、表示装置に設けられた電気・電子部品、表示装置に組み込まれたプログラム等から構成されている。
図１２Ａに示すように、作業者（運転者）が表示装置に対して所定の操作を行うと、障害物設定部１４５は、表示装置の表示部５０に障害物設定画面Ｍ２５を表示する。障害物設定画面Ｍ２５には、マップ取得部１２０が取得した圃場マップＭＰ２を表示する。圃場マップＭＰ２上にポインタ１６５が表示された状態で、所定の操作が行われると、所定の操作が行われた時の圃場マップＭＰ１上のポインタ１６５の位置を、障害物設定部１４５は、障害物の中心位置として保持する。また、障害物設定画面Ｍ２５に表示された設定部１６７に縦サイズ、横サイズを入力すると、障害物設定部１４５は、障害物の大きさ（縦サイズ、横サイズ）を保持する。なお、障害物設定部１４５による障害物の設定は上述した実施形態に限定されない。例えば、障害物設定画面Ｍ２５の圃場マップＭＰ２上に障害物をポインタ１６５等を用いて描くことによって、障害物の位置及び大きさを設定してもよい。また、上述した実施形態では、表示部５０に、障害物設定画面Ｍ２５を単体で表示しているが、エリア設定画面Ｍ２１と障害物設定画面Ｍ２５とを一体化してもよい。
【００５２】
以上のように、障害物設定部１４５によって圃場マップＭＰ２に障害物を設定（登録）することができる。例えば、地図提供会社等で得られた圃場マップにおいて描写されにくい（確認し難い）、排水設備（排水口、開閉バルブ等）の設定を行うことができる。
このように、障害物が登録された場合は、図１２Ｂに示すように、制御装置６０等はト
ラクタ１（走行車両３）の走行時に車体位置を監視し、車体位置が障害物Ｂ１０に近い場合には、表装装置は、トラクタ１が表示部５０に障害物Ｂ１０に近づいていることを表示する。或いは、車体位置が障害物Ｂ１０に近づいた場合、表示装置及び制御装置６０のいずれかは、音声又は警告音によって、トラクタ１が障害物Ｂ１０に近づいていることを表示する。なお、トラクタ１と障害物Ｂ１０との距離が閾値以上になった場合には、障害物Ｂ１０に近づいていることの表示、警告等を解除する。
【００５３】
また、自動走行時において、トラクタ１が障害物Ｂ１０に近づいた場合において、トラクタ１と障害物Ｂ１０との距離が閾値以下で且つトラクタ１の進行方向が障害物Ｂ１０に向かっている場合、即ち、衝突の可能性がある場合は、トラクタ１を自動停止する。また、自動走行時等において、表装装置は、表示部５０に障害物Ｂ１０の位置を表示してもよい。
【００５４】
図１１は、走行予定ルートＬ１を作成する走行支援方法を示す図である。なお、走行支援方法では、圃場の登録は行われていることを前提として走行予定ルートＬ１の作成について説明する。
図１１に示すように、登録した複数の中から、所定の圃場を示す圃場マップＭＰ２を取得する（Ｓ５０）。
取得した圃場マップＭＰ２において、第１エリアＡ２１の設定を行う（Ｓ５１）。第１エリアＡ２１の設定では、圃場マップＭＰ２上をポインタ１６５に選択して、選択された選択位置Ｑ１ｎによって囲まれる設定エリアＡ２５、又は、選択位置Ｑ１ｎを通過する複数の第１領域線Ｊ１ｎと圃場の輪郭Ｈ１とで囲まれる設定エリアＡ２５を、第１エリアＡ２１に設定する。
【００５５】
また、圃場マップＭＰ２において、第２エリアＡ２２の設定を行う（Ｓ５２）。第２エリアＡ２２の設定では、圃場マップＭＰ２上をポインタ１６５に選択して、選択された選択位置Ｑ２ｎによって囲まれる設定エリアＡ２６、又は、選択位置Ｑ２ｎを通過する複数の第２領域線Ｊ２ｎと圃場の輪郭Ｈ１とで囲まれる設定エリアＡ２６を、第２エリアＡ２２に設定する。
【００５６】
また、圃場マップＭＰ２において、第３エリアＡ２３の設定を行う（Ｓ５３）。第３エリアＡ２３の設定では、圃場マップＭＰ２上をポインタ１６５に選択して、選択された選択位置Ｑ３ｎによって囲まれる設定エリアＡ２７、又は、第１エリアＡ２１及び第２エリアＡ２２を除くエリアを、第３エリアＡ２３に設定する。
第１エリアＡ２１、第２エリアＡ２２及び第３エリアＡ２３の設定が完了すると、少なくとも第３エリアＡ２３に走行予定ルートＬ１を作成する（Ｓ５４）。なお、走行予定ルートＬ１を作成するにあたっては、少なくとも、第３エリアＡ２３の設定が完了していればよく、例えば、第１エリアＡ２１と第３エリアＡ２３とを含むルート設定用のマップに走行予定ルートＬ１を作成してもよいし、第２エリアＡ２２と第３エリアＡ２３とを含むルート設定用のマップに走行予定ルートＬ１を作成してもよい。
【００５７】
以上のように、走行支援装置、作業車両及び走行支援方法によれば、所定の圃場、即ち、予め登録された圃場マップＭＰ２に対して、走行及び作業が行えない第１エリアＡ２１、走行が可能で作業が行えない第２エリアＡ２２、走行及び作業が行える第３エリアＡ２３を任意の位置に設定することができる。そのため、例えば、資材を一時的に圃場内に保管する場合、排水不良の発生、作物の仮置き等によって圃場の一部に走行及び作業が行えないエリアが発生したとしても、当該エリアに対応して走行予定ルートＬ１の設定を簡単に行うことができる。言い換えれば、予め登録しておいた圃場の形状を修正したり再登録をすることなく、走行、作業のそれぞれに対応したエリアを設定することができる。
【００５８】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００５９】
１        ：作業車両（トラクタ）
２        ：作業装置
５０      ：表示部
１００    ：走行支援装置
１０５    ：ルート作成部
１０５Ａ  ：直進作成部
１０５Ｂ  ：旋回作成部
１２０    ：マップ取得部
１３０    ：マップ表示部（圃場表示部）
１４１    ：第１エリア設定部
１４２    ：第２エリア設定部
１４３    ：第３エリア設定部
Ａ２１    ：第１エリア
Ａ２２    ：第２エリア
Ａ２３    ：第３エリア
ＭＰ２    ：圃場マップ
【図１】
2020106977.tif 000003
【図２】
2020106977.tif 000004
【図３】
2020106977.tif 000005
【図４】
2020106977.tif 000006
【図５Ａ】
2020106977.tif 000007
【図５Ｂ】
2020106977.tif 000008
【図５Ｃ】
2020106977.tif 000009
【図６】
2020106977.tif 000010
【図７】
2020106977.tif 000011
【図８Ａ】
2020106977.tif 000012
【図８Ｂ】
2020106977.tif 000013
【図８Ｃ】
2020106977.tif 000014
【図９Ａ】
2020106977.tif 000015
【図９Ｂ】
2020106977.tif 000016
【図１０】
2020106977.tif 000017
【図１１】
2020106977.tif 000018
【図１２Ａ】
2020106977.tif 000019
【図１２Ｂ】
2020106977.tif 000020
【図１３】
2020106977.tif 000021